(57)【要約】【課題】二つの管路のうちの少なくとも一方の管路が、可撓性を有する管路（ホース）であっても、その配管作業が簡便な配管継手を提供する。【解決手段】この配管継手１は、二つの管路相互を液密にシールしつつ連結するものであり、二つの管路の端部にそれぞれ接続する二つの配管端末５，６を有している。そして、これら二つの配管端末５，６は、互いの突合わせ部５ｔ，６ｔに、互いの径方向への移動は拘束しつつ、互いを軸方向に沿って殆ど隙間なく摺動させつつ着脱可能な嵌め合わせであるインロー嵌合部１０を有している。【選択図】図１
2008281047.tif 000002
【特許請求の範囲】
【請求項１】
二つの管路相互を液密にシールしつつ連結するための配管継手であって、
前記二つの管路それぞれの端部となる二つの配管端末と、その二つの配管端末の突合わせ部をその外側から嵌め付けるためのハウジングと、そのハウジングの内部に前記二つの配管端末の突合わせ部を囲むように装着される弾性リングと、前記ハウジングで前記二つの配管端末を締め付けるようにして前記二つの配管端末相互を固定する締付手段とを備え、
前記二つの配管端末は、互いの突合わせ部に、互いの径方向への移動は拘束しつつ、互いを軸方向に沿って殆ど隙間なく摺動させつつ着脱可能な嵌め合わせであるインロー嵌合部を有することを特徴とする配管継手。
【発明の詳細な説明】
【技術分野】
【０００１】
本発明は、二つの管路相互を液密にシールしつつ連結するための配管継手に係り、特に、二つの管路のうちの少なくとも一方の管路が、可撓性を有する管路（ホース）である場合に、その二つの管路の配管作業を簡便に行う上で好適な配管継手に関する。
【背景技術】
【０００２】
二つの管路を液密にシールしつつ連結するための配管継手として、例えば図３ないし図５に示すような配管継手１００が用いられている。
この配管継手１００は、図３に示すように、二つの配管端末１０５，１０６と、略半円弧状をなす一対のハウジング２，２とを有し、これら一対のハウジング２，２には、その両端部にボルト座２ａ，２ａが形成され、各ボルト座２ａ，２ａは、上下に貫通する貫通孔２ｂ，２ｂを有している。そして、これら一対のハウジング２，２相互は、締付手段であるボルト３およびナット４によって互いに結合されるようになっている。
【０００３】
また、上記各ハウジング２，２の内面には、その円弧状の面に沿って凹状の溝部７がそれぞれに形成されており、この溝部７の両肩部が、上記二つの配管端末１０５，１０６の端部にそれぞれ形成された円環状のグルーブ１０５ｍ，１０６ｍに係合可能な締付部２ｃ，２ｃとして形成されている。そして、一対のハウジング２，２が対向することによって円環状をなす溝部７，７に、二つの配管端末１０５，１０６の端部をシールするように設けられた弾性リング８が嵌め込まれるようになっている。
【０００４】
これにより、この配管継手１００は、二つの配管端末１０５，１０６の端部同士を突合わせつつ、その端面外周に弾性リング８を嵌め込み、その外側から一対のハウジング２，２を被せて嵌め付け可能になっている。そして、一対のハウジング２，２相互を、ボルト・ナット３，４で締め付けることによって、一対のハウジング２，２の溝部７，７内に配置された弾性リング８を、二つの配管端末１０５，１０６の端部外周面に圧接し、これにより、二つの配管端末１０５，１０６の端部を液密にシールするとともに、二つの配管端末１０５，１０６の端部に設けた周方向溝であるグルーブ（係り止め）１０５ｍ，１０６ｍに、各ハウジング２，２の締付部２ｃ，２ｃを係合することで二つの配管端末１０５，１０６相互を固定することができる（例えば特許文献１参照）。
【０００５】
このような構成をもつ配管継手は、配管の伸縮や、撓み、偏心、回転等に追従する利点があり、二つの管路を液密にシールしつつ連結するための配管継手として好適である。
【特許文献１】特開２００３−４２３６０号公報（図８）
【発明の開示】
【発明が解決しようとする課題】
【０００６】
しかしながら、従来、この種の配管継手は、図４に示すように、二つの配管端末１０５，１０６相互を突合わせる部分である、各配管端末相互の突合わせ部１０５ｔ，１０６ｔが平らな面になっている。そのため、二つの配管端末１０５，１０６に接続する管路のうちの少なくとも一方の管路が、図４に示すように可撓性を有する管路（以下、「ホース」ともいう）Ｋである場合、作業現場において、突合わせる二つの配管端末１０５，１０６のうち、このホースＫ側に接続する配管端末１０６は、その突合わせ部１０６ｔの位置が安定せず、ふらついた状態となる。そのため、作業員がホースＫを含む二つの管路の配管作業を行う際には、通常、複数の作業員が手分けをして配管作業を行なわなければ配管が困難であり、またこのような配管作業は重労働であった。
【０００７】
つまり、上述したような構成をもつ配管継手では、二つの配管端末１０５，１０６は、相互の端部（突合わせ部）同士を、互いの軸線ＣＬが一致する位置に突合わせた状態を保持しつつ固定しなければならない。しかし、従来は、図５に示すように、各配管端末１０５，１０６の突合わせ部１０５ｔ，１０６ｔが平らな面になっているので、可撓性のホースＫを接続するときは径方向での相互の位置決めが難しく、二つの配管端末１０５，１０６相互を所望の突合わせ位置で保持することが困難になる。そこで、作業者の一人が、二つの配管端末１０５，１０６相互の突合わせ位置を保持し、他の作業者が、各ハウジング２，２を上下から被せて、各ハウジング２，２相互をボルト・ナット３，４で締め付ける、といったような手分けをして一の配管作業を行なわなければならなかった。
【０００８】
そこで、本発明は、このような問題点に着目してなされたものであって、配管する二つの管路のうちの少なくとも一方の管路が、可撓性を有する管路であっても、その配管作業を簡便に行い得る配管継手を提供することを目的としている。
【課題を解決するための手段】
【０００９】
上記課題を解決するために、本発明は、二つの管路相互を液密にシールしつつ連結するための配管継手であって、前記二つの管路それぞれの端部となる二つの配管端末と、その二つの配管端末の突合わせ部をその外側から嵌め付けるためのハウジングと、そのハウジングの内部に前記二つの配管端末の突合わせ部を囲むように装着される弾性リングと、前記ハウジングで前記二つの配管端末を締め付けるようにして前記二つの配管端末相互を固定する締付手段とを備え、前記二つの配管端末は、互いの突合わせ部に、互いの径方向への移動は拘束しつつ、互いを軸方向に沿って殆ど隙間なく摺動させつつ着脱可能な嵌め合わせであるインロー嵌合部を有することを特徴としている。
【発明の効果】
【００１０】
本発明に係る配管継手によれば、二つの配管端末は、互いの突合わせ部に、互いの径方向への移動は拘束しつつ、互いを軸方向に沿って殆ど隙間なく摺動させつつ着脱可能な嵌め合わせであるインロー嵌合部を有するので、連結する二つの管路のうちの少なくとも一方が可撓性を有する管路であっても、二つの配管端末相互を突合わせた位置を保持することが容易である。したがって、可撓性を有する管路であっても、その配管作業を簡便に行うことができる。
【発明を実施するための最良の形態】
【００１１】
以下、本発明の一実施形態について、図１ないし図２を適宜参照しつつ説明する。なお、本実施形態の配管継手は、上記図３に例示した配管継手に対し、インロー嵌合部を有する点以外は同様の構成なので、同様の構成については同一の符号を付し、その図示については適宜省略する。
図１に示すように、この配管継手１は、二つの管路として、ホースＫおよび鋼管５Ｋを液密にシールしつつ連結する配管継手の例である。つまり、本実施形態では、同図左側のホースＫが、可撓性を有する管路であり、同図右側の鋼管５Ｋは、可撓性を有しない鋼製の管路の例である。
【００１２】
この配管継手１は、同図に示すように、略円筒状の二つの配管端末５，６と、上下に一対のハウジング２，２とを有している。なお、二つの配管端末５，６のうち、ホースＫ側の配管端末６は、ホースＫの端部に別個の部品である配管端末６が接続されることで配管端末をなし、他方、鋼管５Ｋ側の配管端末５は、鋼管５Ｋの端部自体にグルーブ（係り止め）を設けることで配管端末をなしている。
【００１３】
一対のハウジング２，２には、その両端部にボルト座２ａ，２ａ（同図では不図示）が形成され、各ボルト座２ａ，２ａは、上下に貫通する貫通孔２ｂ，２ｂ（同図では不図示）を有している。そして、これら一対のハウジング２，２相互は、締付手段であるボルト・ナット３，４（同図では不図示）によって互いに結合されるようになっている。
また、上記各ハウジング２，２の内面には、その円弧状の面に沿って凹状の溝部７がそれぞれに形成されており、この溝部７の両肩部が、二つの配管端末５，６の端部にそれぞれ形成された円環状のグルーブ５ｍ，６ｍに係合可能な締付部２ｃ，２ｃとして形成されている。そして、上記一対のハウジング２，２が対向することによって円環状をなす溝部７，７に、二つの配管端末５，６の端部をシールするように設けられた円環状の弾性リング８が嵌め込まれるようになっている。
【００１４】
さらに、この配管継手１は、図２に示すように、二つの配管端末５，６相互の突合わせ部５ｔ，６ｔにインロー嵌合部１０を有している。
詳しくは、このインロー嵌合部１０は、同図左側の配管端末６の突合わせ部６ｔには、円環状の凹部１０ｆが雌部として形成され、同図右側の配管端末５の突合わせ部５ｔには、円環状の凸部１０ｍが雄部として形成されており、これら凹部１０ｆ内径および凸部１０ｍ外径相互は、互いを軸方向に沿って殆ど隙間なく摺動させつつ着脱可能な嵌め合わせである、いわゆるインローになるように互いの寸法が設定されている。これにより、この配管継手１は、二つの配管端末５，６相互の突合わせ部５ｔ，６ｔに、互いの径方向への移動は拘束しつつ、互いを軸方向に沿って殆ど隙間なく摺動させつつ着脱可能な嵌め合わせであるインロー嵌合部１０が設けられている。
【００１５】
次に、この配管継手２０の作用・効果について説明する。
作業現場において、作業員は、図２に示すように、まず、ホースＫの先端に取り付けた配管端末６と鋼管５Ｋの先端に取り付けた配管端末５とを、相互の軸線ＣＬを一致させるようにして対向させ、二つの配管端末５，６相互の突合わせ部５ｔ，６ｔに設けられたインロー嵌合部１０を嵌合させる。なお、この際に、弾性リング８は、突合わせ部５ｔないし６ｔの外周に予め嵌め込んでおく。
【００１６】
ここで、この配管継手２０によれば、その二つの配管端末５，６は、互いの突合わせ部５ｔ，６ｔに、インロー嵌合部１０を有し、このインロー嵌合部１０は、二つの配管端末５，６を、互いの径方向への移動は拘束しつつ、互いを軸方向に沿って殆ど隙間なく摺動させつつ着脱可能な嵌め合わせになっているので、本実施形態のように、連結する二つの管路のうちの一方が可撓性を有するホースＫであっても、二つの配管端末５，６相互を突合わせた位置を保持することが容易である。
【００１７】
したがって、この配管継手１によれば、作業員が、仮に一名のみであっても、二つの配管端末５，６の端部に位置する突合わせ部５ｔ，６ｔ同士を突合わせつつ、その突合わせ部５ｔ，６ｔ外周に弾性リング８を嵌め込み、その外側から一対のハウジング２，２を被せて嵌め付けることができる。
さらに、この配管継手１によれば、仮に作業員が一名のみであっても、一対のハウジング２，２相互を、ボルト・ナット３，４で締め付けることによって、一対のハウジング２，２の溝部７，７内に配置された弾性リング８を、二つの配管端末５，６の端部外周面に圧接することで二つの配管端末５，６の端部を液密にシールするとともに、二つの配管端末５，６の端部に設けたグルーブ５ｍ，６ｍに、各ハウジング２，２の締付部２ｃ，２ｃを係合することで二つの配管端末５，６相互を確実に固定することができる。
【００１８】
以上説明したように、この配管継手１によれば、可撓性を有する管路であっても、仮に作業員が一名のみであっても、一対のハウジング２，２相互を、ボルト・ナット３，４で締め付けるという一連の配管作業を簡便に行うことができる。そのため、仮に作業員が一名のみであっても、重労働を回避することができる。
なお、本発明に係る配管継手は、上記実施形態に限定されるものではなく、本発明の趣旨を逸脱しなければ種々の変形が可能である。
【００１９】
例えば、上記実施形態では、二つの管路のうち一方の管路が、可撓性を有する管路（ホース）である例で説明したが、これに限定されず、二つの管路の両方とも可撓性を有する管路（ホース）であっても本発明に係る配管継手を適用することができる。
なおまた、この配管継手１は、二つの管路のうちの少なくとも一方の管路が、可撓性を有する管路（ホース）である場合に、その二つの管路の配管作業を簡便に行う上で好適なものであるが、二つの管路がいずれも可撓性をもたない鋼管同士の場合であっても、本発明に係る配管継手を適用可能なことは勿論である。
【００２０】
但し、インロー嵌合部によって径方向への移動が拘束されるため、配管の撓みや偏心等に対する追従性を犠牲にするものの、配管の伸縮や、撓み、偏心、回転等に追従する利点を妨げないようにしつつ配管する上で、可撓性を有する管路（ホース）によって配管の伸縮や、撓み、偏心、回転等に追従する利点が補償される。そのため、二つの管路のうちの少なくとも一方の管路が、可撓性を有する管路（ホース）である場合に適用することは、本発明に係る配管継手を適用する対象として好適である。
【図面の簡単な説明】
【００２１】
【図１】本発明に係る配管継手の一実施形態を説明する図であり、同図は、配管継手の要部をその軸線を含む断面を示している。
【図２】図１の配管継手の分解縦断面図である。
【図３】従来の配管継手の分解斜視図である。
【図４】従来の配管継手の要部の縦断面図である。
【図５】従来の配管継手の分解縦断面図である。
【符号の説明】
【００２２】
１    配管継手
２    ハウジング
３    ボルト（締付手段）
４    ナット（締付手段）
５    配管端末
６    配管端末
７    溝部
８    弾性リング
５ｔ，６ｔ    突合わせ部
１０    インロー嵌合部
Ｋ    ホース（可撓性を有する管路）
【図１】
2008281047.tif 000003
【図２】
2008281047.tif 000004
【図３】
2008281047.tif 000005
【図４】
2008281047.tif 000006
【図５】
2008281047.tif 000007